(57)【要約】【課題】上方から一瞥しただけでスカート部の側壁面を視認でき、かつ清掃もしやすい洋風便器装置およびそのスカートを提供する。【解決手段】便鉢４の周囲にスカート部２を設けた洋風便器装置１０であって、スカート部２が便器を正面視したときに、左、右の側壁２ｂ、２ｂが末広がり状に傾斜している。【選択図】図１
2007255120.tif 000002
【特許請求の範囲】
【請求項１】
便鉢の周囲にスカート部を設けた洋風便器装置であって、
上記スカート部は、便器を正面視したときに、左、右の側壁が末広がり状に傾斜していることを特徴とする洋風便器装置。
【請求項２】
請求項１において、
上記スカート部は、上記左、右側壁の基端より外方に向け延出湾曲した縁部を形成していることを特徴とする洋風便器装置。
【請求項３】
請求項１または２において、
上記スカート部は、便鉢に対して着脱自在に形成されていることを特徴とする洋風便器装置。
【請求項４】
請求項１〜３のいずれかにおいて、
上記スカート部は、樹脂材料からなることを特徴とする洋風便器装置。
【請求項５】
洋風便器の便鉢の周囲に着脱自在に配設するスカートであって、
便器を正面視したときに、左、右の側壁が末広がり状に傾斜していることを特徴とする洋風便器用スカート。
【請求項６】
請求項５において、
上記左、右側壁は、基端より外方に向け延出湾曲した縁部を形成していることを特徴とする洋風便器用スカート。
【発明の詳細な説明】
【技術分野】
【０００１】
本発明は、便鉢の周囲にスカート部を設けた洋風便器装置とそのスカートの改良に関するものである。
【背景技術】
【０００２】
陶器を素材とした従来の洋風便器装置では、便座より下方が便鉢の形状に沿って内側に抉れ、くびれており、全体として基端側がすぼまった形状となっているため、便座に腰掛けたときや男子小用の際の足位置スペースは確保されている。
【０００３】
また、便鉢の下方を隠蔽するためにスカート部を取り付けたものもあるが、このスカート部は、座位のときあるいは男子小用のときの足位置スペースが確保されるように、基端に向けて全体的に内側に傾斜した形状となっている。
【０００４】
特許文献１には、樹脂材料で成形されたスカート部を構成部材として含んだ洋風便器装置が記載されている。図４（ａ）は文献１に示した便器の断面図、（ｂ）はこの便器の構成を示した概念図である。
【０００５】
この洋風便器装置１００は、便鉢１０１の周囲にスカート部１０２を、上方に便座１０３を設けた構成である。図示するようにスカート部１０２は、その前面壁１０２ａと左、右側壁１０２ｂ、１０２ｂとが内側に傾斜し、全体として基端側がすぼまった形状となっている。
【特許文献１】特開平１０−３７２７９号公報
【発明の開示】
【発明が解決しようとする課題】
【０００６】
しかしながら、洋風便器装置１００のスカート部１０２は、その前面壁１０２ａを足位置が確保できる形状とする必要はあるが、側壁１０２ｂを内側に傾斜させる必要はほとんどない。むしろ、側壁１０２ｂを内側に傾斜させたものや垂直にしたものでは、上方より側壁１０２ｂ面を視認しにくいため、しゃがみこまなければ側壁１０２ｂ面に付着した汚れを確認することはできない。
【０００７】
特に、スカート部を取り付けていない陶器便器では、便鉢やその下方部が複雑にくびれた形状であるため、清掃がきわめてしにくい。
【０００８】
また、側壁が内側に傾斜したものでは、便鉢の上端周縁部からスカート部の側壁に伝ってきた尿や水は、そのまま床面に垂れ落ちてしまうため、床面は汚れやすく、床面を水洗いできないトイレではきわめて非衛生的である。
【０００９】
本発明は、このような事情を考慮して提案されたもので、その目的は、上方から一瞥しただけでスカート部の側壁面を視認でき、かつ清掃もしやすい洋風便器装置およびそのスカートを提供することにある。
【課題を解決するための手段】
【００１０】
上記目的を達成するために、請求項１に記載の洋風便器装置は、便鉢の周囲にスカート部を設けた洋風便器装置であって、スカート部が便器を正面視したときに、左、右の側壁が末広がり状に傾斜していることを特徴とする。
【００１１】
請求項２に記載の洋風便器装置は、スカート部が左、右側壁の基端より外方に向け延出湾曲した縁部を形成していることを特徴とする。
【００１２】
請求項３に記載の洋風便器装置は、スカート部が便鉢に対して着脱自在に形成されていることを特徴とする。
【００１３】
請求項４に記載の洋風便器装置は、スカート部が樹脂材料からなることを特徴とする。
【００１４】
請求項５に記載の洋風便器用スカートは、洋風便器の便鉢の周囲に着脱自在に配設するスカートであって、便器を正面視したときに、左、右の側壁が末広がり状に傾斜していることを特徴とする。
【００１５】
請求項６に記載の洋風便器用スカートは、左、右側壁の基端より外方に向け延出湾曲した縁部を形成していることを特徴とする。
【発明の効果】
【００１６】
本発明によれば次の効果を奏する。
【００１７】
請求項１〜４に記載の洋風便器装置は、スカート部が便器を正面視したときに、左、右の側壁が末広がり状に傾斜しているため、上方から一瞥しただけでスカート部の側壁面を視認でき、かつ清掃もしやすい。また、側壁が傾斜しているため、側壁に尿や水が飛散しても床面には垂れ落ちにくい。
【００１８】
特に請求項２に記載の洋風便器装置によれば、スカート部が左、右側壁の基端より外方に向け延出湾曲した縁部を形成しているため、側壁面に付いた尿や水が床面に垂れ落ちることはない。
【００１９】
請求項３に記載の洋風便器装置によれば、スカート部が便鉢に対して着脱自在であるため、スカート部を取り外して洗浄することができる。また、スカート部が経年劣化した場合にも取り替えが可能である。
【００２０】
請求項４に記載の洋風便器装置によれば、スカート部が樹脂材料よりなるため、安価で製造でき、軽量であるため着脱時の取り扱いも便利である。
【００２１】
請求項５、６に記載の洋風便器用スカートは、便器を正面視したときに、左、右の側壁が末広がり状に傾斜しているため、便鉢の上方から視認しやすく、清掃もしやすい。また着脱自在であるため、丸洗い、取り替えが可能である。特に請求項６では、左、右側壁の基端より外方に向け延出湾曲した縁部を形成しているため、側壁面に付いた尿や水が床面に垂れ落ちにくい。
【発明を実施するための最良の形態】
【００２２】
以下に、本発明の実施形態について、添付図面とともに説明する。
【実施例１】
【００２３】
図１は本発明の洋風便器装置１０の一例を示す図で、（ａ）は全体斜視図、（ｂ）は分解斜視図である。また、図２（ａ）は図１で示した洋風便器装置１０の平面図、（ｂ）は正面図、（ｃ）は右側面図である。
【００２４】
この洋風便器装置１０は、便座と、便鉢４を含む便器本体１と、便鉢４の周囲に設けたスカート部２とを備えている。なお、便座は図示を省略する。
【００２５】
便器本体１は、便鉢４と、便鉢支持部５と、後方カバー部３とを備えて構成される。便鉢支持部５は、便鉢４に連設され、固定金具７によって床Ｆに固定される。この固定金具７は、側面コ字形に形成されており、便鉢支持部５、床Ｆ、スカート部２のそれぞれと螺合して、洋風便器装置１０全体を床Ｆに固定できるようになっている。また、後方カバー部３は、便鉢４より連通した排水管６などを隠蔽するように配設されている。
【００２６】
なお、本実施例では洋風便器装置１０の個々の部材が樹脂材料で製されたものを示しているが、便鉢４については経年劣化を考慮して陶器よりなるものであってもよい。
【００２７】
スカート部２は、樹脂材料よりなり、図１（ｂ）に示すように、便鉢４の前方、左、右側方を囲むように湾曲して形成されており、上述するように便器本体１に対して着脱自在に形成されている。なお、着脱をより簡易にするために、スカート部２を床Ｆに固定せず、スカート部２の上端のみを便鉢４の上端周縁部４ａに嵌合などによって固定し、吊設されるようにしてもよい。
【００２８】
そのスカート部２の前面壁２ａは、便座に腰掛けたときの足位置スペースを確保するために内側（後方）に傾斜しており、スカート部２を側面視したときに基端２ｃ側がすぼまった形状となっている（図２（ｃ）参照）。
【００２９】
一方、スカート部２の左、右の側壁２ｂ、２ｂは、便器装置１０を正面視したときに末広がり状（ハの字状）に傾斜している（図２（ｂ）参照）。なお図示した実施例では、内側傾斜した前面壁２ａと外側傾斜した側壁２ｂとの境界部分に、アーチ状の模様２ｅが施されている。
【００３０】
このように、スカート部２の左、右の側壁２ｂ、２ｂが末広がりに形成され、内方に抉れたり、くびれたりした箇所がないため、上方から側壁２ｂ、２ｂの全体面を見渡すことができ（図２（ａ）参照）、尿や水で汚れた側壁面を一瞥しただけで視認することができ、かつ手入れもしやすい。また、男子小用時に尿が便鉢４の外に飛散しても、末広がりのスカート部２の側壁２ｂで受け止めることができる。また、便鉢４の上端周縁部４ａに飛散した尿や水が側壁２ｂに伝ってきたときでも、末広がりになっているため床Ｆには垂れ落ちにくい。なお、側壁２ｂに付着した尿や水の垂れ落ちをより遅くするために、複数の横溝を設けてもよい。
【００３１】
また、汚れたスカート部２は取り外せば丸洗いができるため、床Ｆに設置した状態で水洗い清掃する必要性もない。特に、床Ｆに排水口を設けず床面を水洗いできないトイレには有効である。
【００３２】
さらに、後方カバー部３の左、右側壁３ｂ、３ｂも、図示するようにスカート部２の側壁２ｂと同様の勾配でもって末広がり状に形成されていれば、便器装置全体の側壁が統一感のある末広がり形状に形成される。
【実施例２】
【００３３】
図３は本発明の洋風便器装置１０Ａの他例を示す図で、（ａ）は全体斜視図、（ｂ）はＡで示した部分の縦断面図である。なお、便座は図示を省略する。
【００３４】
この洋風便器装置１０Ａのスカート部２は、正面視したときに末広がり状に形成されている点は実施例１と同様であるが、さらに基端２ｃより外方に向けアール状に湾曲しながら延出した縁部２ｄを形成している。
【００３５】
この洋風便器装置１０Ａによれば、スカート部２がこのような縁部２ｄを形成しているため、側壁２ｂ面に付いた尿や水は床面と水平に形成された縁部２ｄで受け止められ、そのため床Ｆを汚すことがほとんどない。さらに、尿や水が縁部２ｄから床Ｆへ垂れ落ちるのを防止するため、側壁２ｂや縁部２ｄに複数の横溝を設けてもよい。
【００３６】
また、縁部２ｄが床Ｆと面接触しているため、付着したゴミや水分もスカート部２の内側に入り込みにくく、床Ｆも傷つきにくい。
【図面の簡単な説明】
【００３７】
【図１】本発明の洋風便器装置の一例を示す図で、（ａ）は全体斜視図、（ｂ）は分解斜視図である。
【図２】（ａ）は図１で示した洋風便器装置の平面図、（ｂ）は正面図、（ｃ）は右側面図である。
【図３】本発明の洋風便器装置の他例を示す図で、（ａ）は全体斜視図、（ｂ）はＡで示した部分の縦断面図である。
【図４】（ａ）は従来の洋風便器装置を示した断面図、（ｂ）はその洋風便器装置の構成を示した概念図である。
【符号の説明】
【００３８】
１０、１０Ａ      洋風便器装置
２      スカート部
２ａ      前面壁
２ｂ      側壁
２ｃ      基端
２ｄ      縁部
３      後方カバー部
４      便鉢
５      便鉢支持部
６      排水管
７      固定金具
【図１】
2007255120.tif 000003
【図２】
2007255120.tif 000004
【図３】
2007255120.tif 000005
【図４】
2007255120.tif 000006